(57)【要約】      （修正有）【課題】端部のシールド部を除去して行うシールド単線と接続端子との接続作業に伴うインピーダンス不整合を引き起こすことを極力抑制する。【解決手段】シールド電線３０の端部の電線用シールド部３６を除去して複数本のシールド単線３１及び／又は３２を露出し、この露出した各シールド単線３１及び／又は３２の先端の導体に接続端子３８を接続し、この接続端子３８をインナーハウジング３９にて保持し、このインナーハウジング３９と前記シールド単線をシールドシェル４２で被覆し、このシールドシェル４２と一体の固着片で前記シールド電線３０の端部に固着してなるシールドコネクタにおいて、前記シールドシェル４２にコネクタのシールド部材４３を設け、このコネクタのシールド部材４３を、露出した前記シールド単線３１及び／又は３２の単線シールド部に電気的に接続してなる。【選択図】図１
2019053937.tif 000002
【特許請求の範囲】
【請求項１】
シールド電線の端部の電線用シールド部を除去して複数本のシールド単線を露出し、この露出した各シールド単線の先端の導体に接続端子を接続し、この接続端子をインナーハウジングにて保持し、このインナーハウジングと前記シールド単線をシールドシェルで被覆し、このシールドシェルと一体の固着片で前記シールド電線の端部に固着してなるシールドコネクタにおいて、
前記シールドシェルにコネクタのシールド部材を設け、このコネクタのシールド部材を、露出した前記シールド単線の単線シールド部に電気的に接続してなることを特徴とするシールドコネクタ。
【請求項２】
コネクタのシールド部材と、単線シールド部との電気的接続位置は、接続端子にて接続した前記シールド単線の導体の露出位置に可及的に近づけたことを特徴とする請求項１記載のシールドコネクタ。
【請求項３】
コネクタのシールド部材の切り起こし片を、露出した前記シールド単線の単線シールド部に圧接して電気的に接続してなることを特徴とする請求項１記載のシールドコネクタ。
【請求項４】
シールド電線は、複数本のシールド単線からなる高速ワイヤーと１本のドレイン線を内部シールド部で包囲し、この内部シールド部の外周に複数本のシールド単線からなる中速ワイヤーと２本の電源線を配置し、全体を電線用シールド部とシース部で被覆したものからなることを特徴とする請求項１記載のシールドコネクタ。
【請求項５】
露出された複数本のシールド単線からなる高速ワイヤーの単線シールド部に臨ませて、この単線シールド部に電気的に接続されるコネクタのシールド部材を設けたことを特徴とする請求項４記載のシールドコネクタ。
【請求項６】
露出された複数本のシールド単線からなる高速ワイヤーの単線シールド部と複数本のシールド単線からなる中速ワイヤーの単線シールド部に臨ませて、これら高速ワイヤーと中速ワイヤーの単線シールド部に電気的に接続されるコネクタのシールド部材を設けたことを特徴とする請求項４記載のシールドコネクタ。
【請求項７】
複数本の高速ワイヤーは、差動信号伝送信号線からなることを特徴とする請求項４、５又は６記載のシールドコネクタ。
【請求項８】
シールド電線の端部の電線用シールド部を除去して複数本のシールド単線を露出し、この露出した各シールド単線の先端の導体に接続端子を接続し、この接続端子をインナーハウジングにて保持し、このインナーハウジングと前記シールド単線をシールドシェルで被覆し、このシールドシェルと一体の固着片で前記シールド電線の端部に固着してなるシールドコネクタの接続方法において、
前記シールドシェルにコネクタのシールド部材を設け、このコネクタのシールド部材を、露出した前記シールド単線の単線シールド部に押し当て、加締め、はんだ付け又は挟み込みにより電気的に接続したことを特徴とするシールドコネクタの接続方法。
【発明の詳細な説明】
【技術分野】
【０００１】
本発明は、１本のシールド電線に複数本のシールド単線を有する複合ケーブルを接続するシールドコネクタであって、露出されたシールド単線のシールド部がオープングランドとなることがなく、接続加工部における略全域でインピーダンスの整合を図ることのできるシールドコネクタ及びその接続方法に関するものである。
【背景技術】
【０００２】
図６に示すように、複数本のシールド単線を有する複合ケーブルをシールドコネクタに接続するシールドコネクタが知られている（特許文献１）。
この図６において、シールド電線１０は、シールドコネクタ１１との接続部分において、シース部１８とシールド箔２１を除いで複数本の各シールド単線２０を露出し、さらに、各シールド単線２０の導体を露出してオス端子１２の圧着部２２で接続する。それぞれのオス端子１２は、インナーハウジング１３に収容され、オス端子１２の先端部をフロントホルダー１４に差し込む。
組み込まれたインナーハウジング１３とフロントホルダー１４は、シールドシェル１５のシールド部２３で包み込み、シェルカバー１６でカバーする。そしてシールドシェル１５のバレル部１９にてシールド電線１０の先端のシース部１８に圧着固定する。シールドシェル１５をシールド電線１０に加締め固定したら、シールドシェル１５をアウターハウジング１７に挿入固定する。
【先行技術文献】
【特許文献】
【０００３】
【特許文献１】特開２０１３−２２９２５４号公報
【発明の概要】
【発明が解決しようとする課題】
【０００４】
特許文献１に記載の発明では、シールド電線１０からシース部１８とシールド箔２１を除いで露出した複数本のシールド単線２０とオス端子１２は、シールドシェル１５とシェルカバー１６で被覆されるが、シールド単線２０が高速差動伝送に用いられるような高速ワイヤーである場合、露出した部分は、シールドシェル１５とシェルカバー１６で被覆してもインピーダンス不整合を引き起こし、伝送性能が悪くなる。そのため、特許文献１に記載の発明では、露出する部分の長さは、短ければ短いほど良い、と記載されている。
しかし、シールド電線１０中のシールド単線２０の本数が多くなればなるほど、シース部１８とシールド箔２１を除いで露出した多数本のシールド単線２０とオス端子１２の接続やシールドコネクタ１１との組立の作業性から、露出した部分の長さを短くするのに限度があり、インピーダンス不整合を引き起こす可能性が高くなるという問題があった。
【０００５】
本発明は、複数本のシールド単線をシールド部材でシールドした複合シールド電線において、端部のシールド部を除去して行うシールド単線と接続端子との接続作業に伴うインピーダンス不整合を引き起こすことを極力抑制するようにしたシールドコネクタ及びその接続方法を提供することを目的とする。
【課題を解決するための手段】
【０００６】
本発明シールドコネクタは、
シールド電線３０の端部の電線用シールド部３６を除去して複数本のシールド単線３１及び／又は３２を露出し、この露出した各シールド単線３１及び／又は３２の先端の導体に接続端子３８を接続し、この接続端子３８をインナーハウジング３９にて保持し、このインナーハウジング３９と前記シールド単線をシールドシェル４２で被覆し、このシールドシェル４２と一体の固着片４７で前記シールド電線３０の端部に固着してなるシールドコネクタにおいて、
前記シールドシェル４２にコネクタのシールド部材４３を設け、このコネクタのシールド部材４３を、露出した前記シールド単線３１及び／又は３２の単線シールド部に電気的に接続してなることを特徴とする。
【０００７】
コネクタのシールド部材４３と、単線シールド部との電気的接続位置は、接続端子３８にて接続した前記シールド単線３１及び／又は３２の導体３１ａ及び／又は３２ａの露出位置に可及的に近づけることが望ましい。
【０００８】
コネクタのシールド部材４３の切り起こし片４４を、露出した前記シールド単線３１及び／又は３２の単線シールド部に圧接して電気的に接続する。
【０００９】
シールド電線３０は、一例として複数本の高速ワイヤー３１と１本のドレイン線３４を内部シールド部３５で包囲し、この内部シールド部３５の外周に複数本の中速ワイヤー３２と２本の電源線３３を配置し、全体を電線用シールド部３６とシース部３７で被覆したものが用いられる。
【００１０】
複数本のシールド単線３１及び／又は３２のうち、少なくともインピーダンス不整合を引き起こし易い高速ワイヤー３１の横巻シールド３１ｃとシールド部３１ｄからなる単線シールド部に、電気的に接続されるコネクタのシールド部材４３を設ける。
【００１１】
複数本の高速ワイヤー３１のみならず、複数本の中速ワイヤー３２の横巻シールド３２ｃとシールド部３２ｄからなる単線シールド部に臨ませて、電気的に接続されるコレクタのシールド部材４３を設けるようにしてもよい。
【００１２】
複数本の高速ワイヤー３１は、差動信号伝送信号線からなるものとすることができる。
【００１３】
シールド電線３０の端部の電線用シールド部３６を除去して複数本のシールド単線３１及び／又は３２を露出し、この露出した各シールド単線３１及び／又は３２の先端の導体３１ａ及び／又は３２ａに接続端子３８を接続し、この接続端子３８をインナーハウジング３９にて保持し、このインナーハウジング３９と前記シールド単線をシールドシェル４２で被覆し、このシールドシェル４２と一体の固着片４７で前記シールド電線３０の端部に固着してなるシールドコネクタの接続方法において、
前記シールドシェル４２にコネクタのシールド部材４３を設け、このコネクタのシールド部材４３を、露出した前記シールド単線３１及び／又は３２の単線シールド部に押し当て、加締め、はんだ付け又は挟み込みにより電気的に接続したことを特徴とする。
【発明の効果】
【００１４】
請求項１記載の発明によれば、
シールド電線の端部の電線用シールド部を除去して複数本のシールド単線を露出し、この露出した各シールド単線の先端の導体に接続端子を接続し、この接続端子をインナーハウジングにて保持し、このインナーハウジングと前記シールド単線をシールドシェルで被覆し、このシールドシェルと一体の固着片で前記シールド電線の端部に固着してなるシールドコネクタにおいて、
前記シールドシェルにコネクタのシールド部材を設け、このコネクタのシールド部材を、露出した前記シールド単線の単線シールド部に電気的に接続してなるので、シールド単線と接続端子の接続加工のために、露出したシールド単線が接続加工のために長くなることがあっても、シールド部がオープングランドとなることがなく、インピーダンスの整合が取りやすくなる。また、シールドコネクタ部品の隙間をカバーすることができ、シールド特性が改善される。
【００１５】
請求項２記載の発明によれば、
コネクタのシールド部材と、単線シールド部との電気的接続位置は、接続端子にて接続した前記シールド単線の導体の露出位置に可及的に近づけたので、より確実にシールド部がオープングランドとなることがなくなり、インピーダンスの整合が取りやすくなる。
【００１６】
請求項３記載の発明によれば、
コネクタのシールド部材の切り起こし片を、露出した前記シールド単線の単線シールド部に圧接して電気的に接続してなるので、簡単な構成によりシールド部がオープングランドとなることがなく、インピーダンスの整合が取りやすくなる。
【００１７】
請求項４記載の発明によれば、
シールド電線は、複数本のシールド単線からなる高速ワイヤーと１本のドレイン線を内部シールド部で包囲し、この内部シールド部の外周に複数本のシールド単線からなる中速ワイヤーと２本の電源線を配置し、全体を電線用シールド部とシース部で被覆したものからなるので、高速ワイヤーと中速ワイヤーを含む複合ワイヤーに利用することができる。
【００１８】
請求項５記載の発明によれば、
露出された複数本のシールド単線からなる高速ワイヤーの単線シールド部に臨ませて、この単線シールド部に電気的に接続されるコネクタのシールド部材を設けたので、特にインピーダンスの不整合が起き易い高速ワイヤーのシールド電線に有効である。
【００１９】
請求項６記載の発明によれば、
露出された複数本のシールド単線からなる高速ワイヤーの単線シールド部と複数本のシールド単線からなる中速ワイヤーの単線シールド部に臨ませて、これら高速ワイヤーと中速ワイヤーの単線シールド部に電気的に接続されるコネクタのシールド部材を設けたので、異なる種類の複合シールド電線に効果がある。
【００２０】
請求項７記載の発明によれば、
複数本の高速ワイヤーは、差動信号伝送信号線からなるので、信号線の伝送速度をより早くできるとともに、信号線の本数を増やすことができる。
【００２１】
請求項８記載の発明によれば、
シールド電線の端部の電線用シールド部を除去して複数本のシールド単線を露出し、この露出した各シールド単線の先端の導体に接続端子を接続し、この接続端子をインナーハウジングにて保持し、このインナーハウジングと前記シールド単線をシールドシェルで被覆し、このシールドシェルと一体の固着片で前記シールド電線の端部に固着してなるシールドコネクタの接続方法において、
前記シールドシェルにコネクタのシールド部材を設け、このコネクタのシールド部材を、露出した前記シールド単線の単線シールド部に押し当て、加締め、はんだ付け又は挟み込みにより電気的に接続したので、接続端子との接続加工性、シールド特性の重要度など、目的に応じて接続方法を選択することができる。
【図面の簡単な説明】
【００２２】
【図１】（ａ）は、本発明によるシールドコネクタ及びその接続方法の実施例１を示す断面図、（ｂ）は、本発明の実施例２を示す断面図である。
【図２】図１に示す複合シールド電線の一例を示す端面図である。
【図３】（ａ）は、本発明のシールドコネクタ及びその接続方法に接続するために配列加工したシールド電線の正面図、（ｂ）は、（ａ）に示すシールド電線の平面図である。
【図４】（ａ）は、本発明によるシールドコネクタ及びその接続方法のケーブルジャックの分解斜視図、（ｂ）は、シールド単線の導体を接続端子の圧着部に導電性の保護部材と一体に圧着した状態の断面図である。
【図５】本発明のケーブルジャックに接続される基板側プラグの正面図である。
【図６】従来のシールドコネクタ及びその接続方法の分解斜視図である。
【発明を実施するための形態】
【００２３】
本発明のシールドコネクタは、
シールド電線３０の端部の電線用シールド部３６を除去して複数本のシールド単線３１及び／又は３２を露出し、この露出した各シールド単線３１及び／又は３２の先端の導体３１ａ及び／又は３２ａに接続端子３８を接続し、この接続端子３８をインナーハウジング３９にて保持し、このインナーハウジング３９と前記シールド単線をシールドシェル４２で被覆し、このシールドシェル４２と一体の固着片４７で前記シールド電線３０の端部に固着してなるシールドコネクタにおいて、
前記シールドシェル４２にコネクタのシールド部材４３を設け、このコネクタのシールド部材４３を、露出した前記シールド単線３１及び／又は３２の単線シールド部に電気的に接続してなるものである。
【００２４】
コネクタのシールド部材４３と、単線シールド部との電気的接続位置は、接続端子３８にて接続した前記シールド単線３１及び／又は３２の導体３１ａ及び／又は３２ａの露出位置に可及的に近づけることが特性向上のために望ましい。
【００２５】
より構成を簡略化するために、コネクタのシールド部材４３の切り起こし片４４を、露出した前記シールド単線３１及び／又は３２の単線シールド部に圧接して電気的に接続する。
【００２６】
シールド電線３０は、一例として複数本の高速ワイヤー３１と１本のドレイン線３４を内部シールド部３５で包囲し、この内部シールド部３５の外周に複数本の中速ワイヤー３２と２本の電源線３３を配置し、全体を電線用シールド部３６とシース部３７で被覆したものが用いられる。
【００２７】
複数本のシールド単線３１及び／又は３２のうち、少なくともインピーダンス不整合を引き起こし易い高速ワイヤー３１の横巻シールド３１ｃとシールド部３１ｄからなる単線シールド部に電気的に接続されるコネクタのシールド部材４３を設ける。
また、複数本の高速ワイヤー３１のみならず、複数本の中速ワイヤー３２の横巻シールド３２ｃとシールド部３２ｄからなる単線シールド部に臨ませて、電気的に接続されるコレクタのシールド部材４３を設けるようにしてもよい。
さらに、複数本の高速ワイヤー３１は、差動信号伝送信号線からなるものとすることができる。
【００２８】
シールド電線３０の端部の電線用シールド部３６を除去して複数本のシールド単線３１及び／又は３２を露出し、この露出した各シールド単線３１及び／又は３２の先端の導体３１ａ及び／又は３２ａに接続端子３８を接続し、この接続端子３８をインナーハウジング３９にて保持し、このインナーハウジング３９と前記シールド単線をシールドシェル４２で被覆し、このシールドシェル４２と一体の固着片４７で前記シールド電線３０の端部に固着してなるシールドコネクタの接続方法において、
前記シールドシェル４２にコネクタのシールド部材４３を設け、このコネクタのシールド部材４３を、露出した前記シールド単線３１及び／又は３２の単線シールド部に押し当て、加締め、はんだ付け又は挟み込みにより電気的に接続する方法を目的に応じて選択することができる。
【実施例１】
【００２９】
以下、本発明の実施例１を図面に基づき説明する。
図２は、本発明のシールドコネクタ及びその接続方法に使用される８芯の複合シールド電線３０を示している。この例における複合シールド電線３０は、６本のシールド単線を有し、このうちの４本のシールド単線３１は、差動信号伝送等に使用される高速ワイヤーで、２本のシールド単線３２は、中速ワイヤーからなる。この複合シールド電線３０には、さらに２本の電源線３３と、１本のドレイン線３４を有する。
前記４本の高速ワイヤー３１は、中心の導体３１ａが絶縁体３１ｂで被覆され、さらに外周が横巻シールド部３１ｃとアルミテープ３１ｄからなる単線シールド部で被覆され、同様に、前記２本の中速ワイヤー３２は、中心の導体３２ａが絶縁体３２ｂで被覆され、さらに外周がシールド部３２ｃとアルミテープ３２ｄからなる単線シールド部で被覆されている。前記電源線３３は、中心の３３ａが絶縁体３３ｂで被覆されている。
前記４本の高速ワイヤー３１は、１本のドレイン線３４とともに絶縁テープ３５ａとアルミテープ３５ｂからなる内部シールド材３５で一括りに纏められている。これらの高速ワイヤー３１の外周には、前記２本の中速ワイヤー３２と２本の電源線３３が配置され、前記内部シールド材３５で一括りに纏められたものを含めて全体が編組シールド３６ａとアルミテープ３６ｂとからなる外部シールド材３６で被覆され、さらに、外周がシース部３７で保護されている。
なお、前記シールド電線３０は、８芯を例示したが、これに限られるものではなく、それ以上でも、それ以下でもよい。また、高速ワイヤーと中速ワイヤーの本数の組み合わせも上記例に限られるものではないが、本数が多いほど本発明の効果が期待できる。
【００３０】
前記シールド電線３０の端部は、本発明のシールドコネクタの接続端子３８との接続のために、シールド電線３０のシース部３７と電線用シールド部３６の一部を除去して高速ワイヤー３１の導体３１ａ、中速ワイヤー３２の導体３２ａ、電源線３３の導体３３ａを露出させる加工がおこなわれる。シールド電線３０の直径が６．５ｍｍとすると、接続加工し易いように高速ワイヤー３１等の単線を約１５〜２０ｍｍ露出させるが、高速ワイヤー３１、中速ワイヤー３２を露出させることによるインピーダンス不整合を引き起こし伝送特性が悪くなることを防止するため、この露出長さは接続加工性との兼ね合いで決定される。
本実施例では、このシールド部の除去作業は、高速ワイヤー３１の導体３１ａが先端から２ｍｍ程度露出するように絶縁体３１ｂと横巻シールド部３１ｃとアルミテープ３１ｄを除去し、さらに、導体３１ａが横巻シールド部３１ｃとアルミテープ３１ｄに短絡することのないように横巻シールド部３１ｃとアルミテープ３１ｄを導体３１ａから１ｍｍ程度除去する。中速ワイヤー３２についても同様に、導体３２ａを先端から２ｍｍ程度露出させ、さらに、導体３２ａから横巻シールド部３２ｃとアルミテープ３２ｄを１ｍｍ程度除去する。電源線３３についても、導体３３ａが２ｍｍ程度露出するように絶縁体３３ｂを除去する。
【００３１】
このようにして先端の導体が露出するようにシールド部の除去処理されたシールド電線３０は、図３（ａ）（ｂ）に示すように、シールド電線３０の端部に補強リング２９を嵌め込む。また、ケーブルジャック４８のピン穴５７に一致するように、下の段には、ドレイン線３４を中心にして両側に２本ずつ高速ワイヤー３１を所定の間隔で配置し、上の段には、中央の２本の中速ワイヤー３２配置し、その両側に１本ずつ電源線３３を所定の間隔で配置する。
前記電線用シールド部３６の編組シールド３６ａの一部は、シールド電線３０の端部のシース部３７に嵌合した補強リング２９の外周にまくり上げる。
【００３２】
前記シールド電線３０から露出した高速ワイヤー３１と中速ワイヤー３２と電源線３３の各導体部３１ａ、３２ａ、３３ａと、ドレイン線３４は、図４（ａ）に示すように、接続端子３８の圧着部４５に差し込み、さらにＵ字形の導電性保護部材４６を下からあてがい、図４（ｂ）に示すように、一体に圧着接続する。圧着接続された全９本の接続端子３８の圧着接続部分をインナーハウジング３９の下溝５４と上溝５５に配置し、かつ接続端子３８の先端部がインナーハウジング３９の先端から突出するようにあてがい、フロントホルダー４０に挿入する。すると、図１に示すように、接続端子３８の突出部分がフロントホルダー４０のピン穴５７に収納される。
【００３３】
前記接続端子３８とインナーハウジング３９を嵌め込んだフロントホルダー４０の外側を角筒型のシールドシェル４２で包囲する。このシールドシェル４２の底板は一部切り欠かれており、この切り欠き５３に下側からコネクタのシールド部材４３を、シールドシェル４２と電気的に接続状態となるように嵌め込む。このコネクタのシールド部材４３には、切り起こし片４４が形成され、この切り起こし片４４が嵌合溝５６の下側の端面に接触した状態で、高速ワイヤー３１の横巻シールド３１ｃとアルミテープ３１ｄからなるシールド部に下方から押し当て接続される。この切り起こし片４４の上面には、高速ワイヤー３１のシールド部との接触面を大きくするためにシールド部の外径にあったくぼみや凹凸を設けることが望ましい。
前記切り起こし片４４と高速ワイヤー３１のシールド部との接触位置は、接続端子３８にて接続した高速ワイヤー３１等の導体３１ａの露出位置にできるだけ近いことがインピーダンス不整合を防止し、伝送性能を向上させることができる。
前記シールド単線用のシールド部材４３は、前述したようにシールドシェル４２と別体でもよいし、また、シールドシェル４２と一体でもよい。
前記シールドシェル４２と一体に設けた固着片４７を、シールド電線３０の端部で補強リング２９の外周にまくり上げた編組シールド３６ａ部分に電気的に接続し、かつ、機械的に固定するように固く巻き付ける。
【００３４】
前記シールド電線３０がシールドシェル４２に固着された状態でアウターハウジング４１の組み込み溝５８に差し込み固定すると、フロントホルダー４０の前端面とアウターハウジング４１の前端面が同一面となる。
このようにして組み立てられたケーブルジャック４８と基板側プラグ４９とを嵌合すると、基板側プラグ４９から突出した接続ピン５０がケーブルジャック４８の接続端子３８に嵌合し、信号端子５１に導き出される。また、基板側プラグ４９の外周の導電ボックス５９がケーブルジャック４８のシールドシェル４２の外周面に接触して基板側プラグ４９のアース端子５２から外部へ導き出される。
このケーブルジャック４８と基板側プラグ４９を嵌合してＰＣ板等に組み込まれると、信号端子５１から信号線と結合し、アース端子５２がアース線に結合される。
【００３５】
以上のように構成されたシールドコネクタにおいて、シールド電線３０から露出された高速ワイヤー３１は、高速ワイヤー３１の露出部分で、高速ワイヤー３１の横巻シールド部３１ｃとアルミテープ３１ｄからなるシールド単線用のシールド部と切り起こし片４４とが接続されて接続加工のために露出した部分の全域でインピーダンス整合を図ることができるとともに、シールド効果を高めることができる。
【実施例２】
【００３６】
前記実施例では、差動信号伝送用の高速ワイヤー３１について切り起こし片４４を設けて露出した部分の全域でインピーダンス整合を図るようにしたが、中速ワイヤー３２についても同様の構成とすることができる。そのため、図１（ｂ）に示すように、シールドシェル４２の一部を下向きに切り欠いてコネクタのシールド部材の切り起こし片６０とし、この切り起こし片６０を中速ワイヤー３２の横巻シールド部３２ｃとアルミテープ３２ｄからなる単線シールド部に圧接することにより中速ワイヤー３２における露出した部分の全域でインピーダンス整合を図ることができるとともに、シールド効果を高めることができる。
【００３７】
前記実施例では、高速ワイヤー３１の単線シールド部と切り起こし片４４の接続及び／又は中速ワイヤー３２の単線シールド部と切り起こし片６０の接続は、加工性が優れているので押し当て構造とした。しかし、これに限られるものではなく、加締め構造、はんだ付け構造又は挟み込み方法のいずれかを目的に応じて選択することができる。
【符号の説明】
【００３８】
１０…シールド電線、１１…シールドコネクタ、１２…オス端子、１３…インナーハウジング、１４…フロントホルダー、１５…シールドシェル、１６…シェルカバー、１７…アウターハウジング、１８…シース部、１９…バレル部、２０…シールド単線、２１…シールド箔、２２…圧着部、２３…シールド部、２９…補強リング、３０…シールド電線、３１…シールド単線（高速ワイヤー）、３２…シールド単線（中速ワイヤー）、３３…電源線、３４…ドレイン線、３５…内部シールド部、３６…電線用シールド部、３７…シース部、３８…接続端子、３９…インナーハウジング、４０…フロントホルダー、４１…アウターハウジング、４２…シールドシェル、４３…コネクタのシールド部材、４４…切り起こし片、４５…圧着部、４６…導電性保護部材、４７…固着片、４８…ケーブルジャック、４９…基板側プラグ、５０…接続ピン、５１…信号端子、５２…アース端子、５３…切り欠き、５４…下溝、５５…上溝、５６…嵌合溝、５７…ピン穴、５８…組み込み溝、５９…導電ボックス、６０…コネクタのシールド部材。
【図１】
2019053937.tif 000003
【図２】
2019053937.tif 000004
【図３】
2019053937.tif 000005
【図４】
2019053937.tif 000006
【図５】
2019053937.tif 000007
【図６】
2019053937.tif 000008
【手続補正書】
【提出日】平成30年4月4日(2018.4.4)
【手続補正１】
【補正対象書類名】明細書
【補正対象項目名】０００６
【補正方法】変更
【補正の内容】
【０００６】
本発明のシールドコネクタは、
端部の電線用シールド部３６を除去して複数本のシールド単線を露出したシールド電線３１及び／又は３２と、この露出した各シールド単線３１及び／又は３２の先端の導体に接続した接続端子３８と、この接続端子３８を保持したインナーハウジング３９と、このインナーハウジング３９と前記シールド単線を被覆したシールドシェル４２と、前記シールド電線の端部に固着した前記シールドシェル４２と一体の４７固着片とからなるシールドコネクタにおいて、
前記シールドシェル４２に設けられ、露出した前記シールド単線の単線シールド部に電気的に接続したコネクタのシールド部材４３を具備したことを特徴とする。
【手続補正２】
【補正対象書類名】明細書
【補正対象項目名】００１１
【補正方法】変更
【補正の内容】
【００１１】
複数本の高速ワイヤー３１のみならず、複数本の中速ワイヤー３２の横巻シールド３２ｃとシールド部３２ｄからなる単線シールド部に臨ませて、電気的に接続されるコネクタのシールド部材４３を設けるようにしてもよい。
【手続補正３】
【補正対象書類名】明細書
【補正対象項目名】００１４
【補正方法】変更
【補正の内容】
【００１４】
請求項１記載の発明によれば、
端部の電線用シールド部を除去して複数本のシールド単線を露出したシールド電線と、この露出した各シールド単線の先端の導体に接続した接続端子と、この接続端子を保持したインナーハウジングと、このインナーハウジングと前記シールド単線を被覆したシールドシェルと、前記シールド電線の端部に固着した前記シールドシェルと一体の固着片とからなるシールドコネクタにおいて、
前記シールドシェルに設けられ、露出した前記シールド単線の単線シールド部に電気的に接続したコネクタのシールド部材を具備したので、シールド単線と接続端子の接続加工のために、露出したシールド単線が接続加工のために長くなることがあっても、シールド部がオープングランドとなることがなく、インピーダンスの整合が取りやすくなる。また、シールドコネクタ部品の隙間をカバーすることができ、シールド特性が改善される。
【手続補正４】
【補正対象書類名】明細書
【補正対象項目名】００２３
【補正方法】変更
【補正の内容】
【００２３】
本発明のシールドコネクタは、
端部の電線用シールド部３６を除去して複数本のシールド単線を露出したシールド電線３１及び／又は３２と、この露出した各シールド単線３１及び／又は３２の先端の導体に接続した接続端子３８と、この接続端子３８を保持したインナーハウジング３９と、このインナーハウジング３９と前記シールド単線を被覆したシールドシェル４２と、前記シールド電線の端部に固着した前記シールドシェル４２と一体の４７固着片とからなるシールドコネクタにおいて、
前記シールドシェル４２に設けられ、露出した前記シールド単線の単線シールド部に電気的に接続したコネクタのシールド部材４３を具備したものである。
【手続補正５】
【補正対象書類名】明細書
【補正対象項目名】００２７
【補正方法】変更
【補正の内容】
【００２７】
複数本のシールド単線３１及び／又は３２のうち、少なくともインピーダンス不整合を引き起こし易い高速ワイヤー３１の横巻シールド３１ｃとシールド部３１ｄからなる単線シールド部に電気的に接続されるコネクタのシールド部材４３を設ける。
また、複数本の高速ワイヤー３１のみならず、複数本の中速ワイヤー３２の横巻シールド３２ｃとシールド部３２ｄからなる単線シールド部に臨ませて、電気的に接続されるコネクタのシールド部材４３を設けるようにしてもよい。
さらに、複数本の高速ワイヤー３１は、差動信号伝送信号線からなるものとすることができる。
【手続補正６】
【補正対象書類名】明細書
【補正対象項目名】００２９
【補正方法】変更
【補正の内容】
【００２９】
以下、本発明の実施例１を図面に基づき説明する。
図２は、本発明のシールドコネクタ及びその接続方法に使用される８芯の複合シールド電線３０を示している。この例における複合シールド電線３０は、６本のシールド単線を有し、このうちの４本のシールド単線３１は、差動信号伝送等に使用される高速ワイヤーで、２本のシールド単線３２は、中速ワイヤーからなる。この複合シールド電線３０には、さらに２本の電源線３３と、１本のドレイン線３４を有する。
前記４本の高速ワイヤー３１は、中心の導体３１ａが絶縁体３１ｂで被覆され、さらに外周が横巻シールド部３１ｃとアルミテープ３１ｄからなる単線シールド部で被覆され、同様に、前記２本の中速ワイヤー３２は、中心の導体３２ａが絶縁体３２ｂで被覆され、さらに外周がシールド部３２ｃとアルミテープ３２ｄからなる単線シールド部で被覆されている。前記電源線３３は、中心の導体３３ａが絶縁体３３ｂで被覆されている。
前記４本の高速ワイヤー３１は、１本のドレイン線３４とともに絶縁テープ３５ａとアルミテープ３５ｂからなる内部シールド材３５で一括りに纏められている。これらの高速ワイヤー３１の外周には、前記２本の中速ワイヤー３２と２本の電源線３３が配置され、前記内部シールド材３５で一括りに纏められたものを含めて全体が編組シールド３６ａとアルミテープ３６ｂとからなる外部シールド材３６で被覆され、さらに、外周がシース部３７で保護されている。
なお、前記シールド電線３０は、８芯を例示したが、これに限られるものではなく、それ以上でも、それ以下でもよい。また、高速ワイヤーと中速ワイヤーの本数の組み合わせも上記例に限られるものではないが、本数が多いほど本発明の効果が期待できる。
【手続補正７】
【補正対象書類名】明細書
【補正対象項目名】００３８
【補正方法】変更
【補正の内容】
【００３８】
１０…シールド電線、１１…シールドコネクタ、１２…オス端子、１３…インナーハウジング、１４…フロントホルダー、１５…シールドシェル、１６…シェルカバー、１７…アウターハウジング、１８…シース部、１９…バレル部、２０…シールド単線、２１…シールド箔、２２…圧着部、２３…シールド部、２９…補強リング、３０…シールド電線、３１…シールド単線（高速ワイヤー）、３２…シールド単線（中速ワイヤー）、３３…電源線、３４…ドレイン線、３５…内部シールド部、３６…電線用シールド部、３７…シース部、３８…接続端子、３９…インナーハウジング、４０…フロントホルダー、４１…アウターハウジング、４２…シールドシェル、４３…コネクタのシールド部材、４４…切り起こし片、４５…圧着部、４６…導電性保護部材、４７…固着片、４８…ケーブルジャック、４９…基板側プラグ、５０…接続ピン、５１…信号端子、５２…アース端子、５３…切り欠き、５４…下溝、５５…上溝、５６…嵌合溝、５７…ピン穴、５８…組み込み溝、５９…導電ボックス、６０…切り起こし片。
【手続補正８】
【補正対象書類名】特許請求の範囲
【補正対象項目名】全文
【補正方法】変更
【補正の内容】
【特許請求の範囲】
【請求項１】
端部の電線用シールド部を除去して複数本のシールド単線を露出したシールド電線と、この露出した各シールド単線の先端の導体に接続した接続端子と、この接続端子を保持したインナーハウジングと、このインナーハウジングと前記シールド単線を被覆したシールドシェルと、前記シールド電線の端部に固着した前記シールドシェルと一体の固着片とからなるシールドコネクタにおいて、
前記シールドシェルに設けられ、露出した前記シールド単線の単線シールド部に電気的に接続したコネクタのシールド部材を具備したことを特徴とするシールドコネクタ。
【請求項２】
コネクタのシールド部材と、単線シールド部との電気的接続位置を、接続端子にて接続した前記シールド単線の導体の露出位置に可及的に近づけたものからなることを特徴とする請求項１記載のシールドコネクタ。
【請求項３】
コネクタのシールド部材の切り起こし片を、露出した前記シールド単線の単線シールド部に圧接して電気的に接続したものからなることを特徴とする請求項１記載のシールドコネクタ。
【請求項４】
シールド電線は、複数本のシールド単線からなる高速ワイヤーと１本のドレイン線を内部シールド部で包囲し、この内部シールド部の外周に複数本のシールド単線からなる中速ワイヤーと２本の電源線を配置し、全体を電線用シールド部とシース部で被覆したものからなることを特徴とする請求項１記載のシールドコネクタ。
【請求項５】
露出された複数本のシールド単線からなる高速ワイヤーの単線シールド部に臨ませて、この単線シールド部に電気的に接続されるコネクタのシールド部材を設けたものからなることを特徴とする請求項４記載のシールドコネクタ。
【請求項６】
露出された複数本のシールド単線からなる高速ワイヤーの単線シールド部と複数本のシールド単線からなる中速ワイヤーの単線シールド部に臨ませて、これら高速ワイヤーと中速ワイヤーの単線シールド部に電気的に接続されるコネクタのシールド部材を設けたものからなることを特徴とする請求項４記載のシールドコネクタ。
【請求項７】
複数本の高速ワイヤーは、差動信号伝送信号線からなることを特徴とする請求項４、５又は６記載のシールドコネクタ。
【請求項８】
シールド電線の端部の電線用シールド部を除去して複数本のシールド単線を露出し、この露出した各シールド単線の先端の導体に接続端子を接続し、この接続端子をインナーハウジングにて保持し、このインナーハウジングと前記シールド単線をシールドシェルで被覆し、このシールドシェルと一体の固着片で前記シールド電線の端部に固着してなるシールドコネクタの接続方法において、
前記シールドシェルにコネクタのシールド部材を設け、このコネクタのシールド部材を、露出した前記シールド単線の単線シールド部に押し当て、加締め、はんだ付け又は挟み込みにより電気的に接続したことを特徴とするシールドコネクタの接続方法。
【手続補正９】
【補正対象書類名】図面
【補正対象項目名】図６
【補正方法】変更
【補正の内容】
【図６】
2019053937.tif 000009
【手続補正書】
【提出日】平成30年4月27日(2018.4.27)
【手続補正１】
【補正対象書類名】明細書
【補正対象項目名】０００６
【補正方法】変更
【補正の内容】
【０００６】
本発明のシールドコネクタは、
端部の電線用シールド部３６を除去して複数本のシールド単線を露出したシールド電線３０と、この露出した各シールド単線３１及び／又は３２の先端の導体に接続した接続端子３８と、この接続端子３８を保持したインナーハウジング３９と、このインナーハウジング３９と前記シールド単線を被覆したシールドシェル４２と、前記シールド電線の端部に固着した前記シールドシェル４２と一体の固着片４７とからなるシールドコネクタにおいて、
前記シールドシェル４２に設けられ、露出した前記シールド単線の単線シールド部に電気的に接続したコネクタのシールド部材４３を具備したことを特徴とする。
【手続補正２】
【補正対象書類名】明細書
【補正対象項目名】００２３
【補正方法】変更
【補正の内容】
【００２３】
本発明のシールドコネクタは、
端部の電線用シールド部３６を除去して複数本のシールド単線を露出したシールド電線３０と、この露出した各シールド単線３１及び／又は３２の先端の導体に接続した接続端子３８と、この接続端子３８を保持したインナーハウジング３９と、このインナーハウジング３９と前記シールド単線を被覆したシールドシェル４２と、前記シールド電線の端部に固着した前記シールドシェル４２と一体の固着片４７とからなるシールドコネクタにおいて、
前記シールドシェル４２に設けられ、露出した前記シールド単線の単線シールド部に電気的に接続したコネクタのシールド部材４３を具備したものである。